(57)【要約】【課題】プレビュー画像が途切れる像消失を発生させることなく撮影を続けることができる撮像装置を提供する。【解決手段】主撮像レンズ１０１および撮像素子１０８は被写体を撮像し、第１の画像信号を出力する。副撮像レンズ１０２および撮像素子１１７は被写体を撮像し、第２の画像信号を出力する。表示部１２２は、第１の画像信号に基づいた第１の画像、または第２の画像信号に基づいた第２の画像を表示する。シャッター１０９は、撮像素子１０８に対するシャッター動作を行う。表示制御回路１２１は、シャッター動作時以外に第１の画像を表示部１２２に表示させ、シャッター動作時に第２の画像を表示部１２２に表示させる。【選択図】図１
2009094780.tif 000002
【特許請求の範囲】
【請求項１】
被写体を撮像し、第１の画像信号を出力する第１の撮像部と、
前記被写体を撮像し、第２の画像信号を出力する第２の撮像部と、
前記第１の画像信号に基づいた第１の画像、または前記第２の画像信号に基づいた第２の画像を表示する表示部と、
前記第１の撮像部に対するシャッター動作を行うシャッター部と、
シャッター動作時以外に前記第１の画像を前記表示部に表示させ、シャッター動作時に前記第２の画像を前記表示部に表示させる表示制御部と、
を備えたことを特徴とする撮像装置。
【請求項２】
前記第２の撮像部は、前記第１の撮像部よりも広角な画角で前記被写体を撮像することを特徴とする請求項１に記載の撮像装置。
【請求項３】
前記第２の画像の画角が前記第１の画像の画角と同一となるように、前記第２の画像信号から一部の画像領域の信号を抽出する信号抽出部をさらに備えたことを特徴とする請求項２に記載の撮像装置。
【請求項４】
前記信号抽出部は、前記第１の撮像部が備える光学系のフォーカス位置に基づいて、前記第２の画像信号から前記一部の画像領域の信号を抽出する領域を決定することを特徴とする請求項３に記載の撮像装置。
【発明の詳細な説明】
【技術分野】
【０００１】
本発明は、デジタルスチルカメラ等の撮像装置に関する。
【背景技術】
【０００２】
撮像装置を用いた撮影の方法として、撮影者が光学ファインダーを覗きながら被写体を狙うという従来の方法だけではなく、電子ビューファインダー（ＥＶＦ）等に被写体のプレビュー画像を表示させながら撮影するという方法がある。また、特許文献１に記載されているように、プレビュー画像用の撮像センサと本撮影画像撮影用の撮像センサとを備え、シャッターボタンが全押しされるまではプレビュー画像を表示し、シャッターボタンが全押しされたときには本撮影画像を表示する撮像装置も提案されている。
【特許文献１】特開２０００−１０１９０７号公報
【発明の開示】
【発明が解決しようとする課題】
【０００３】
しかしながら、撮影のためのシャッター動作を行うと、連続したプレビュー画像がシャッター動作時に途切れる現象（像消失）が発生する。このため、動く被写体を追いかけて撮影する連写時には、被写体像を全く見ることができなかった。
【０００４】
本発明は、上述した課題に鑑みてなされたものであって、プレビュー画像が途切れる像消失を発生させることなく撮影を続けることができる撮像装置を提供することを目的とする。
【課題を解決するための手段】
【０００５】
本発明は、上記の課題を解決するためになされたもので、被写体を撮像し、第１の画像信号を出力する第１の撮像部（図１の主撮像レンズ１０１、撮像素子１０８に対応）と、前記被写体を撮像し、第２の画像信号を出力する第２の撮像部（図１の副撮像レンズ１０２、撮像素子１１７に対応）と、前記第１の画像信号に基づいた第１の画像、または前記第２の画像信号に基づいた第２の画像を表示する表示部（図１の表示部１２２に対応）と、前記第１の撮像部に対するシャッター動作を行うシャッター部（図１のシャッター１０９に対応）と、シャッター動作時以外に前記第１の画像を前記表示部に表示させ、シャッター動作時に前記第２の画像を前記表示部に表示させる表示制御部（図１の表示制御回路１２１に対応）とを備えたことを特徴とする撮像装置である。
【０００６】
また、本発明の撮像装置において、前記第２の撮像部は、前記第１の撮像部よりも広角な画角で前記被写体を撮像することを特徴とする。
【０００７】
また、本発明の撮像装置は、前記第２の画像の画角が前記第１の画像の画角と同一となるように、前記第２の画像信号から一部の画像領域の信号を抽出する信号抽出部（図１の領域切り出し回路１２０に対応）をさらに備えたことを特徴とする。
【０００８】
また、本発明の撮像装置において、前記信号抽出部は、前記第１の撮像部が備える光学系のフォーカス位置に基づいて、前記第２の画像信号から前記一部の画像領域の信号を抽出する領域を決定することを特徴とする。
【０００９】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１０】
本発明によれば、シャッター動作時以外に第１の画像を表示し、第１の画像の像消失が発生するシャッター動作時に第２の画像を表示することによって、像消失を発生させることなく撮影を続けることができるという効果が得られる。
【発明を実施するための最良の形態】
【００１１】
以下、図面を参照し、本発明の実施形態を説明する。図２は、本実施形態による撮像装置を上面から見た状態を示している。この撮像装置は、主画像を撮像する主撮像レンズ１０１と、副画像を撮像する副撮像レンズ１０２とを備えている。副撮像レンズ１０２は例えば魚眼レンズであり、その撮像画角は主撮像レンズ１０１の撮像画角よりも大きい。主撮像レンズ１０１と副撮像レンズ１０２の位置は所定の間隔だけ離れており、この間隔に基づく視差が主画像と副画像に発生するが、画像処理によって視差は補正される。
【００１２】
図１は、本実施形態による撮像装置の機能構成を示している。被写体Ａからの光は主撮像レンズ１０１および副撮像レンズ１０２に入射する。主撮像レンズ１０１は主画像を得るための光学系であり、撮影倍率を調節するズームレンズ１０１ａと、フォーカスを調節するフォーカスレンズ１０１ｂとを備えている。ズームレンズ１０１ａはズームモータ１０３によって駆動される。光学ズーム制御部１０４は、レンズＣＰＵ１０７からの駆動指示に基づくズームレンズ１０１ａの目標位置と実際の位置とを比較して、実際の位置が目標位置となるようにズームモータ１０３をフィードバック制御することによって、ズーム動作を制御する。
【００１３】
フォーカスレンズ１０１ｂはフォーカスモータ１０５によって駆動される。フォーカス制御部１０６は、レンズＣＰＵ１０７からの駆動指示に基づくフォーカスレンズ１０１ｂの目標位置と実際の位置とを比較して、実際の位置が目標位置となるようにフォーカスモータ１０５をフィードバック制御することによって、オートフォーカス動作を制御する。レンズＣＰＵ１０５は本体内のカメラＣＰＵ１１６からの指示に基づいて光学ズーム制御部１０４およびフォーカス制御部１０６を制御する。
【００１４】
上記の主撮像レンズ１０１、ズームモータ１０３、光学ズーム制御部１０４、フォーカスモータ１０５、フォーカス制御部１０６、およびレンズＣＰＵ１０７はレンズユニットを構成している。このレンズユニットは、本体に対して着脱可能であってもよい。
【００１５】
撮像素子１０８は、主撮像レンズ１０１により集光された光を光電変換により電気信号に変換し、アナログ画像信号として出力する。撮像素子１０８の光学的な前方位置には、撮像素子１０８の露光を調節するためのシャッター１０９（フォーカルプレーンシャッター等）が配置されている。撮影回路１１０は、撮像素子１０８を電気的に駆動すると共に、撮像素子１０８から出力されたアナログ画像信号を、撮像装置内部での使用に適したデジタル画像信号に変換するＡ／Ｄ変換等を行う。
【００１６】
内部メモリ１１１は、撮像装置の内部で処理に用いる各種の情報（撮影回路１１０から出力されたデジタル画像信号や、主撮像レンズ１０１および副撮像レンズ１０２の種類等の情報）を記憶する。画像処理回路１１２は、内部メモリ１１１に格納されているデジタル画像信号に対して所定の画像処理（ＲＧＢ補間等）を行う。圧縮回路１１３は、画像処理回路１１２によって処理されたデジタル画像信号に対して、記録用の圧縮処理を行う。メモリコントローラ１１４は、撮像装置に接続されているカードメモリ２に対して、圧縮回路１１３によって圧縮されたデジタル画像信号を記録する。操作部１１５は、シャッターボタン（レリーズボタン）やズームレバー等を有し、ユーザによる操作の結果を示す信号を出力する。カメラＣＰＵ１１６は撮像装置内の各部を制御する。
【００１７】
副撮像レンズ１０２は副画像を得るための光学系であり、主画像よりも広い画角の副画像を得ることができる。撮像素子１１７は、副撮像レンズ１０２により集光された光を光電変換により電気信号に変換し、アナログ画像信号として出力する。撮影回路１１８は、撮像素子１１７を電気的に駆動すると共に、撮像素子１１７から出力されたアナログ画像信号を、撮像装置内部での使用に適したデジタル画像信号に変換するＡ／Ｄ変換等を行う。
【００１８】
歪補正回路１１９は、撮影回路１１８から出力されたデジタル画像信号に含まれる、副撮像レンズ１０２による光学的な歪みを補正する。領域切り出し回路１２０は、歪補正回路１１９から出力されたデジタル画像信号に基づく副画像において、最終的に表示する領域を切り出し、その領域の画像に対応するデジタル画像信号を抽出する。領域切り出し回路１２０によって切り出される副画像の領域は、主画像と同一画角となる画角の領域である。また、領域切り出し回路１２０は、主撮像レンズ１０１と副撮像レンズ１０２の配置位置の違いに基づく視差を考慮し、その視差を解消するようにして領域の切り出しを行う。
【００１９】
表示制御回路１２１は、撮影回路１１０から出力されたデジタル画像信号（以下、主画像信号とする）、または領域切り出し回路１２０から出力されたデジタル画像信号（以下、副画像信号とする）に対して、画像のサイズを表示サイズに合わせる処理を行い、デジタル画像信号を表示部１２２（ＬＣＤ等）へ出力すると共に、表示部１２２による画像表示を制御する。本実施形態では、主画像の像消失が発生するシャッター動作時に副画像を表示し、シャッター動作時以外に主画像を表示するため、シャッター動作時には副画像信号が表示部１２２へ出力され、シャッター動作時以外には主画像信号が表示部１２２へ出力される。これらの画像信号の切り替えのタイミングはカメラＣＰＵ１１６によって制御される。表示部１２２は、表示制御回路１２１から出力されたデジタル画像信号に基づいた画像を表示する。
【００２０】
本実施形態では、撮影回路１１０から出力されたデジタル画像信号が表示制御回路１２１に入力されるようになっているが、これに代えて、画像処理回路１１２から出力されたデジタル画像信号が表示制御回路１２１に入力されるようになっていてもよい。
【００２１】
次に、主画像信号と副画像信号の出力を切り替える具体的な動作を説明する。シャッター１０９は、撮像素子１０８の光学的前方で撮像素子１０８の光軸を横切るように走行する２つのシャッター素子（以下、先幕および後幕とする）を有している。先幕と後幕の走行タイミングに応じて撮像素子１０８の露光時間を制御することが可能となる。以下、図３を参照しながら説明を行う。図３は、主画像信号および副画像信号の生成タイミングと、先幕および後幕の状態と、表示部１２２による画像の表示タイミングとを示している。図３に示した多数の正方形の１つが、撮像または表示される画像の単位（１フレーム等）を示している。また、図３の左から右へ向かう向きが時間経過の方向を示している。
【００２２】
シャッター動作時以外では、先幕は走行を終了したときの状態となっており、後幕は走行を開始する前の状態となっている。操作部１１５のシャッターボタンが押されると、カメラＣＰＵ１１６は、操作部１１５から出力される信号に基づいて撮像指示の入力を検出し、先幕と後幕の制御を開始する。まず、走行を終了したときの状態となっている先幕を、走行する前の状態に戻すチャージが行われる。図３において「Ｃｈａｒｇｅ」と記載されている期間は、先幕または後幕のチャージが行われていることを示している。また、「Ｒｕｎ」と記載されている期間は、先幕または後幕の走行が行われていることを示している。
【００２３】
続いて、先幕が走行し、さらに先幕の後を追って所定の時間差で後幕が走行する。先幕の走行開始から後幕の走行終了までの期間が露光期間であり、図３において「Ｅｘｐ」と記載されている期間が露光期間を示している。露光期間に続いて、撮像素子１０８から画像信号が読み出される。画像信号の読み出しを行う期間が読み出し期間であり、図３において「Ｒｅａｄ」と記載されている期間が読み出し期間を示している。また、露光期間において後幕が走行した後、先幕と後幕のチャージが行われる。続いて、先幕のみが走行し、上述した説明の最初の状態に戻る。
【００２４】
先幕または後幕がチャージされる期間では、撮像素子１０８に入射する光が遮られるため、撮像素子１０８では正常な撮像を行うことができない。そこで、本実施形態では、この期間において表示制御回路１２１から表示部１２２へ出力される画像信号が主画像信号ではなく副画像信号となる。これによって、撮像素子１０８で正常な撮像を行うことができない期間においても、表示部１２２が画像表示を行うことが可能となる。
【００２５】
カメラＣＰＵ１１６は、撮像指示の入力を検出しシャッター動作を開始するときに、表示制御回路１２１に対して、画像信号の切替を指示する情報を出力する。表示制御回路１２１は、この情報に基づいて、表示部１２２へ出力する画像信号を主画像信号から副画像信号へ切り替える。また、先幕と後幕がチャージされ、先幕のみが走行してシャッター動作が終了したときに、カメラＣＰＵ１１６は、表示制御回路１２１に対して、画像信号の切替を指示する情報を出力する。表示制御回路１２１は、この情報に基づいて、表示部１２２へ出力する画像信号を副画像信号から主画像信号へ切り替える。
【００２６】
上記は、撮像装置が単写モードで動作する場合の説明であるが、撮像装置が連写モードで動作する場合も同様である。図４は、連写モードにおける主画像信号および副画像信号の生成タイミングと、先幕および後幕の状態と、表示部１２２の表示タイミングとを示している。記載の都合上、図４（ａ）は連写の途中までの状態を示し、図４（ｂ）は図４（ａ）の続きの状態を示している。図４（ａ），（ｂ）に示すように、連写中は先幕と後幕の走行とチャージが繰り返される。また、先幕と後幕が走行する期間で撮像素子１０８の露光が行われ、露光後に撮像素子１０８から画像信号が読み出される。最後に先幕のみが走行し、先幕と後幕が連写開始前の状態に戻ると、連写が終了する。操作部１１５のシャッターボタンが押されてシャッター動作が開始されてから、最後に先幕が走行してシャッター動作が終了するまでの期間では、表示制御回路１２１から表示部１２２へ出力される画像信号が主画像信号ではなく副画像信号となる。
【００２７】
次に、領域切り出し回路１２０の動作を説明する。領域切り出し回路１２０の動作に必要な情報となる副画像の画角は以下のようにして決定される。主撮像レンズ１０１が撮像装置本体に対して着脱可能でない場合、主撮像レンズ１０１の種類等の情報は予めＲＯＭ等に格納されており、撮像装置の動作時には内部メモリ１１１に格納される。また、主撮像レンズ１０１が撮像装置本体に対して着脱可能な場合、主撮像レンズ１０１が撮像装置本体に装着されたときにカメラＣＰＵ１１６はレンズＣＰＵ１０７と通信を行い、主撮像レンズ１０１の種類等の情報を取得し、内部メモリ１１１に格納する。
【００２８】
ユーザが操作部１１５のズームレバーを操作してズーム量を設定すると、操作部１１５から出力された信号に基づいてカメラＣＰＵ１１６はズーム量を認識し、レンズＣＰＵ１０７へズーム量の情報を送信する。レンズＣＰＵ１０７は、カメラＣＰＵ１１６から受信したズーム量に基づいて光学ズーム制御部１０４を制御する。
【００２９】
一方、副撮像レンズ１０２の種類等の情報も予めＲＯＭ等に格納されており、撮像装置の動作時には内部メモリ１１１に格納される。カメラＣＰＵ１１６は、内部メモリ１１１から主撮像レンズ１０１と副撮像レンズ１０２の情報を読み出し、主撮像レンズ１０１の種類に応じた最大画角と、副撮像レンズ１０２の種類に応じた設定画角と、ズーム量に応じた主撮像レンズ１０１の設定画角とに基づいて、主画像の設定画角に対応した副画像の画角を算出し、その情報を領域切り出し回路１２０へ出力する。領域切り出し回路１２０は、カメラＣＰＵ１１６から出力された副画像の画角の情報に基づいて、その画角に相当する領域の画像に対応する副画像信号を抽出して出力する。これによって、最終的に表示される主画像の画角と副画像の画角が同一となる。
【００３０】
また、領域切り出し回路１２０は、主撮像レンズ１０１と副撮像レンズ１０２の配置位置の違いに基づく視差を解消するため、副画像から切り出す領域の位置を以下のようにして決定する。図５（ａ）に示すように、撮像装置から無限遠にあると仮定した被写体５００を撮像する場合、図５（ｂ）に示すように、主撮像レンズ１０１で得られる主画像５１０と副撮像レンズ１０２で得られる副画像５２０の間に視差は発生しない。すなわち、被写体５００が撮像装置から無限遠にあると仮定しているため、主画像５１０の中心で被写体５００を捉えた場合、副画像５２０の中心でも被写体５００を捉えることになる。領域５２０ａは、主画像５１０の画角と同一画角となる実際の表示用副画像の領域である。図５（ｂ）の状態では、主画像５１０と副画像５２０の間に視差が発生しないので、表示部１２２によって表示される画像が主画像から副画像に切り替わっても、切り替えの前後で画像表示が不自然にはならない。
【００３１】
一方、図６（ａ）に示すように、無限遠ではない近距離の被写体６００を撮像する場合、図６（ｂ）に示すように、主撮像レンズ１０１で得られる主画像６１０と副撮像レンズ１０２で得られる副画像６２０の間に視差が発生する。すなわち、主画像６１０の中心で被写体６００を捉えた場合でも、副画像６２０の中心からずれた位置で被写体６００を捉えることになる。この場合、領域６２０ａの画像が実際に表示される副画像となるため、表示部１２２によって表示される画像が主画像から副画像に切り替わった場合、切り替えの前後で被写体６００の位置が不連続に変化し、画像表示が不自然となる。
【００３２】
そこで、領域切り出し回路１２０は、図６（ｃ）に示すように、実際の表示用副画像の領域を領域６２０ａではなく領域６２０ｂとする。領域６２０ｂは、主画像６１０の画角と同一画角となる領域であり、主画像６１０の中心で被写体６００を捉えた場合、被写体６００は領域６２０ｂの中心に位置する。
【００３３】
領域切り出し回路１２０は、以下のようにして、副画像内の領域の切り出し位置を決定する。以下では、副撮像レンズ１０２に魚眼レンズ（画角１８０°）を用いた例で説明を行う。魚眼レンズには複数の種類が存在し、それらの種類毎に得られる画像が異なる。一般的な魚眼レンズには、球の中心を視点とする等距離射影の特性を持つものが多い。この等距離射影では、図７に示すように、光線の入射角度と画像の中心からの距離とが比例する。
【００３４】
以下では、魚眼レンズが等距離射影の特性を持ち、被写体が主撮像レンズ１０１の光軸中心上にあり、撮像装置の姿勢が水平に保たれているものとする。また、主撮像レンズ１０１のフォーカス距離（被写体までの距離と考えられる）をＤａとし、主撮像レンズ１０１の中心と副撮像レンズ１０２の中心の距離をＤｂとする。さらに、図８に示すように、水平平面内で副撮像レンズ１０２の中心と被写体８００，８１０，８２０の中心を通る直線が副撮像レンズ１０２の光軸となす角度をθｓとする。
【００３５】
図９は、等距離射影の関係を示すグラフであり、光線の入射角度（θｓ）と像高との関係を示している。像高とは、魚眼レンズで得られる画像の中心からの距離を正規化したものである。θｓ＝−９０°（被写体が画像右端にあるとき）で像高が−１となり、θｓ＝０°（被写体が画像中央にあるとき）で像高が０となり、θｓ＝９０°（被写体が画像左端にあるとき）で像高が１となる。
【００３６】
被写体が無限遠（Ｄａ＝∞）にあるとき（図８の被写体８００を撮像するとき）、θｓ＝０°であるので、図９より像高（水平方向のずれ）は０となる（点９００に対応）。このとき、図１０に示すように主画像１０１０の中心で被写体１０００を捉えていれば、副画像１０２０ａの中心で被写体１０００を捉えることになる。
【００３７】
また、被写体までの距離ＤａがＤｂであるとき（図８の被写体８１０を撮像するとき）、θｓ＝４５°であるので、図９より像高（水平方向のずれ）は０．５となる（点９１０に対応）。このとき、図１０に示すように主画像１０１０の中心で被写体１０００を捉えていれば、副画像１０２０ｂでは中心から０．５だけずれた位置で被写体１０００を捉えることになる。ただし、副画像１０２０ｂの中心から左端までの距離を１としている。
【００３８】
また、被写体までの距離Ｄａが０であるとき（図８の被写体８２０を撮像するとき）、θｓ＝９０°であるので、図９より像高（水平方向のずれ）は１となる（点９２０に対応）。このとき、図１０に示すように主画像１０１０の中心で被写体１０００を捉えていれば、副画像１０２０ｃでは中心から１だけずれた位置（画像左端）で被写体１０００を捉えることになる。このように、主撮像レンズ１０１のフォーカス距離に応じて、主画像に対する副画像のずれ量が分かるので、このずれ量に基づいて副画像内の領域の切り出し位置を決定することによって、主画像と副画像の間の視差を解消することができる。
【００３９】
具体的には、撮像装置内の各部は以下のように動作する。カメラＣＰＵ１１６は主撮像レンズ１０１内のフォーカスレンズ１０１ｂの状態を管理しており、フォーカスレンズ１０１ｂのフォーカス距離の情報を領域切り出し回路１２０へ出力する。フォーカス距離（被写体までの距離と考えられる）と図８の距離Ｄｂとによって決まる光線の入射角度と像高（主画像と副画像のずれ量）の対応関係あるいはフォーカス距離と像高の対応関係を示す情報は撮像装置内のＲＯＭ等に予め格納されている。領域切り出し回路１２０は、この情報に基づいて、カメラＣＰＵ１１６から通知されたフォーカス距離に対応した像高を求める。領域切り出し回路１２０は、求めた像高に基づいて領域の切り出しを行う。
【００４０】
上述したように、本実施形態によれば、シャッター動作時以外に主画像を表示し、主画像の像消失が発生するシャッター動作時に副画像を表示することによって、像消失を発生させることなく撮影を続けることができる。また、副撮像レンズ１０２の画角を主撮像レンズ１０１よりも広角にする（特に、主撮像レンズ１０１の最大画角よりも広角にする）ことによって、ユーザによるズームの指示に応じて主撮像レンズ１０１の画角が変化しても、撮像された副画像から主画像と同一画角の画像を切り出して表示することが可能となる。さらに、表示される主画像と副画像の画角をこのように同一画角とすることによって、主画像から副画像への切替時または副画像から主画像への切替時における画角変動による不自然な画像表示を防止することができる。
【００４１】
また、主撮像レンズ１０１のフォーカス位置に基づいて、副画像信号から信号を抽出する画像領域を決定することによって、主撮像レンズ１０１と副撮像レンズ１０２の配置位置の違いに基づく視差を補正することができ、主画像から副画像への切替時または副画像から主画像への切替時における被写体位置の変化による不自然な画像表示を防止することができる。
【００４２】
以上、図面を参照して本発明の実施形態について詳述してきたが、具体的な構成はこれらの実施形態に限られるものではなく、本発明の要旨を逸脱しない範囲の設計変更等も含まれる。
【図面の簡単な説明】
【００４３】
【図１】本発明の一実施形態による撮像装置の構成を示すブロック図である。
【図２】本発明の一実施形態による撮像装置を上面から見た状態を示す上面図である。
【図３】本発明の一実施形態による撮像装置が主画像信号と副画像信号の出力を切り替える動作を説明するためのタイミングチャートである。
【図４】本発明の一実施形態による撮像装置が主画像信号と副画像信号の出力を切り替える動作を説明するためのタイミングチャートである。
【図５】本発明の一実施形態による撮像装置が主画像と副画像の視差を補正する動作を説明するための参考図である。
【図６】本発明の一実施形態による撮像装置が主画像と副画像の視差を補正する動作を説明するための参考図である。
【図７】本発明の一実施形態による撮像装置が備える副撮像レンズにおける等距離射影を説明するための参考図である。
【図８】本発明の一実施形態による撮像装置が主画像と副画像の視差を補正する動作を説明するための参考図である。
【図９】本発明の一実施形態による撮像装置が備える副撮像レンズにおける等距離射影の関係を示すグラフである。
【図１０】本発明の一実施形態による撮像装置が主画像と副画像の視差を補正する動作を説明するための参考図である。
【符号の説明】
【００４４】
２・・・カードメモリ、１０１・・・主撮像レンズ、１０１ａ・・・ズームレンズ、１０１ｂ・・・フォーカスレンズ、１０２・・・副撮像レンズ、１０３・・・ズームモータ、１０４・・・光学ズーム制御部、１０５・・・フォーカスモータ、１０６・・・フォーカス制御部、１０７・・・レンズＣＰＵ、１０９・・・シャッター、１０８，１１７・・・撮像素子、１１０，１１８・・・撮影回路、１１１・・・内部メモリ、１１２・・・画像処理回路、１１３・・・圧縮回路、１１４・・・メモリコントローラ、１１５・・・操作部、１１６・・・カメラＣＰＵ、１１９・・・歪補正回路、１２０・・・領域切り出し回路、１２１・・・表示制御回路、１２２・・・表示部
【図１】
2009094780.tif 000003
【図２】
2009094780.tif 000004
【図３】
2009094780.tif 000005
【図４】
2009094780.tif 000006
【図５】
2009094780.tif 000007
【図６】
2009094780.tif 000008
【図７】
2009094780.tif 000009
【図８】
2009094780.tif 000010
【図９】
2009094780.tif 000011
【図１０】
2009094780.tif 000012